(57)【要約】【課題】この発明は、原盤への情報記録用の溝の形成速度を高速化して生産性を向上させる手法に基づいて形成された情報記録媒体を提供することと、上記した情報記録媒体に対して情報の記録再生を行なう情報記録再生装置を提供することとを目的としている。【解決手段】情報記録用の溝が形成された情報記録媒体（１１）であって、溝の底面は、両側に比して中央部が高くなるように形成されている情報記録媒体（１１）。上記した情報記録媒体（１１）に対して情報の記録再生を行なう手段を備えた情報記録再生装置。【選択図】    図５
2009277287.tif 000002
【特許請求の範囲】
【請求項１】
情報記録用の溝が形成された情報記録媒体であって、
前記溝の底面は、両側に比して中央部が高くなるように形成されていることを特徴とする情報記録媒体。
【請求項２】
側壁に特定の情報を含む情報記録用の溝が形成された情報記録媒体であって、
前記溝の底面は、両側に比して中央部が高くなるように形成されていることを特徴とする情報記録媒体。
【請求項３】
側壁に特定の情報を含む情報記録用の溝が形成された情報記録媒体であって、
前記溝の底面は、両側に比して中央部が蒲鉾状に盛り上がるように形成されていることを特徴とする情報記録媒体。
【請求項４】
前記特定の情報は、アドレス情報であることを特徴とする請求項２または３記載の情報記録媒体。
【請求項５】
情報記録用の溝が形成され、前記溝の底面は、両側に比して中央部が高くなるように形成されている情報記録媒体に対して、情報の記録または再生を行なう手段を具備することを特徴とする情報記録再生装置。
【請求項６】
側壁に特定の情報を含む情報記録用の溝が形成され、前記溝の底面は、両側に比して中央部が高くなるように形成されている情報記録媒体に対して、情報の記録または再生を行なう手段を具備することを特徴とする情報記録再生装置。
【請求項７】
側壁に特定の情報を含む情報記録用の溝が形成され、前記溝の底面は、両側に比して中央部が蒲鉾状に盛り上がるように形成されている情報記録媒体に対して、情報の記録または再生を行なう手段を具備することを特徴とする情報記録再生装置。
【発明の詳細な説明】
【技術分野】
【０００１】
この発明は、例えばＤＶＤ（digital versatile disk）等の光ディスクに代表される情報記録媒体の改良に関する。また、この発明は、上記の情報記録媒体に対して情報の記録再生を行なう情報記録再生装置に関する。
【背景技術】
【０００２】
周知のように、首記の如き光ディスクは、年々高密度化が進んでいる。例えば青色レーザ光を使用して情報の記録再生が行なわれる次世代の光ディスクでは、レーザビームの波長が４０５ｎｍ、光ディスク上に形成されるレーザビームのスポット径が約５００ｎｍ、トラックピッチが４００ｎｍ、再生時の線速度が６．６１ｍ／ｓとなっている。
【０００３】
ところで、この種の光ディスクの中でユーザの所持する記録再生装置によって情報の書き込みが可能なタイプのものは、その情報記録領域に、予め情報記録用の溝がスパイラル状に刻まれている。そして、記録再生装置では、光ディスクに形成された情報記録用の溝に沿って情報の書き込みを行なうことになる。
【０００４】
この場合、光ディスクに形成されている情報記録用の溝には、一般的に、その側壁に、ウォブル（蛇行）や切り欠き状のランドプリピット等によりアドレス情報が記録されている。そして、上記記録再生装置では、このアドレス情報に基づいて光ディスクに対する情報の記録を制御している。
【０００５】
ここで、上記した情報記録用の溝が形成された光ディスクは、情報記録用の溝を形成するための型となるスタンパを用いて、溶融樹脂を射出形成することによって成形される。そして、このスタンパは、情報記録用の溝を形成した原盤を形成し、その原盤を型として作製される。
【０００６】
ここにおいて、上記原盤は、原盤材料に電子ビームを照射して、アドレス情報を含む情報記録用の溝を形成していくことにより形成される。この場合、原盤への情報記録用の溝の形成速度を高速化することが、原盤の生産性を向上させることになり、ひいては、記録型の光ディスクの生産性を向上させることに寄与することとなる。
【０００７】
特許文献１には、原盤に情報記録用の溝を形成する際、溝の幅の半分以下の径を有するビームスポットにより原盤のフォトレジスト上を露光するもので、所望の溝幅を得るために、レーザビームを溝幅方向に振動させながら、つまり、原盤上ではビームスポットが三角波状の軌跡を描きながら露光を行なうことが開示されている。
【特許文献１】特開２００６−０９９８７６号公報
【発明の開示】
【発明が解決しようとする課題】
【０００８】
そこで、この発明は上記事情を考慮してなされたもので、原盤への情報記録用の溝の形成速度を高速化して生産性を向上させる手法に基づいて形成された情報記録媒体を提供することを目的とする。また、この発明は、上記した情報記録媒体に対して情報の記録再生を行なう情報記録再生装置を提供することを目的とする。
【課題を解決するための手段】
【０００９】
この発明に係る情報記録媒体は、情報記録用の溝が形成されたものを対象としている。そして、溝の底面は、両側に比して中央部が高くなるように形成されているものである。
【００１０】
また、この発明に係る情報記録再生装置は、情報記録用の溝が形成され、溝の底面は、両側に比して中央部が高くなるように形成されている情報記録媒体に対して、情報の記録または再生を行なう手段を備えるようにしたものである。
【発明の効果】
【００１１】
上記した発明によれば、原盤への情報記録用の溝の形成速度を高速化して生産性を向上させる手法に基づいて形成された情報記録媒体と、この情報記録媒体に対して情報の記録再生を行なう情報記録再生装置とを提供することができる。
【発明を実施するための最良の形態】
【００１２】
以下、この発明の実施の形態について図面を参照して詳細に説明する。図１は、この実施の形態で説明する光ディスク１１を示している。この光ディスク１１は、その最内周に内径孔１２が形成され、その内径孔１２の周囲に、詳細を後述する情報記録用の溝が形成された情報記録領域１３が形成されている。
【００１３】
図２（ａ），（ｂ）は、上記光ディスク１１の成形手段を示している。まず、図２（ａ）において、符号１４は固定側金型である。この固定側金型１４には、その一方の側面に、光ディスク１１を射出形成する際の一方の型となる円盤状のスタンパ１５を収容するための凹部１６が形成されている。
【００１４】
そして、この固定側金型１４には、その凹部１６の中央部に、上記スタンパ１５の内径孔１７が嵌合される円筒形状のスタンパ取付金具１８が設置されている。また、この固定側金型１４には、その凹部１６の中央部から他方の側面まで連通する流入孔１９が形成されている。
【００１５】
この流入孔１９は、光ディスク１１の材料となる溶融樹脂を流入させるもので、凹部１６の中央部側がスタンパ取付金具１８の内径とほぼ等しく、固定側金型１４の他方の側面に向けて順次径が広がる漏斗形状をしている。これにより、固定側金型１４の他方の側面から流入された溶融樹脂が、スタンパ取付金具１８の内部を通過するようになる。
【００１６】
一方、図２（ａ）において、符号２０は移動側金型である。この移動側金型２０には、その一方の側面に、光ディスク１１を射出形成する際の他方の型となる凹部２１が形成されている。そして、この移動側金型２０には、その凹部２１の中央部に、成形された光ディスク１１に対して内径孔１２を形成するためのカットパンチ２２が、図中矢印方向に移動自在に支持されている。
【００１７】
ここで、上記スタンパ１５を、その内径孔１７をスタンパ取付金具１８に嵌合させることにより、固定側金型１４の凹部１６内に収容させる。そして、移動側金型２０を移動させて、固定側金型１４に合体させる。その後、固定側金型１４の流入孔１９から、例えばポリカーボネート等の溶融樹脂を流入させる。
【００１８】
すると、溶融樹脂は、図２（ｂ）に微細点群で示すように、スタンパ１５と移動側金型２０の凹部２１とで形成される空間内に流入されて固化された後、カットパンチ２２で内径孔１２が形成されて、ここに、光ディスク１１が成形される。この場合、光ディスク１１には、スタンパ１５に面した側に情報記録用の溝が形成されることになる。
【００１９】
図３は、上記したスタンパ１５を示している。このスタンパ１５には、その最内周に内径孔１７が形成されいる。また、このスタンパ１５には、その内径孔１７の周囲に、光ディスク１１に情報記録用の溝を形成して情報記録領域１３を形成させるための型となる情報記録領域２３が形成されている。
【００２０】
図４（ａ）〜（ｆ）は、上記スタンパ１５の作製手段を示している。まず、図４（ａ）に示すように、原盤２４を用意する。この原盤２４としては、表面を研磨洗浄したガラスやＳｉウエハ等が用いられる。そして、図４（ｂ）に示すように、原盤２４の表面にフォトレジスト２５を塗布する。
【００２１】
その後、図４（ｃ）に示すように、原盤２４を露光装置のスピンドルテーブル２６に設置（チャッキング）する。そして、スピンドルテーブル２６を回転させた上で、フォトレジスト２５の塗布された表面を電子ビームで露光することにより、情報記録用の溝２７をスパイラル状に一気に記録する。
【００２２】
このようにして露光した原盤２４に対して、図４（ｄ）に示すように、現像処理を行ない情報記録用の溝２７を形成する。そして、この原盤２４を、図４（ｅ）に示すように、Ｎｉメッキ処理することで情報記録用の溝２７が転写された金属盤２８を作製する。その後、この金属盤２８を、図４（ｆ）に示すように、加工（裏面の研磨と内外径加工）することで射出成形時の型となるスタンパ１５が作製される。
【００２３】
図５は、上記原盤２４に電子ビームを用いて情報記録用の溝２７を形成する露光装置２９を示している。電子ビームを用いることにより、光の回折限界を超えて数１０ｎｍのビームスポットを形成することができるため、以下に説明するような情報記録用の溝２７の形成が可能となる。
【００２４】
すなわち、この露光装置２９は、エミッタ２９ａから出射され引出電極２９ｂにより引き出された電子ビームに対して、レンズ２９ｃにより第１及び第２の偏向電極２９ｄ，２９ｅ内に絞り込む。そして、電子ビームに対して、第１の偏向電極２９ｄによりアドレス情報に対応したウォブル変調を施し、第２の偏向電極２９ｅにより後述する偏向処理を施した後、対物レンズ２９によりスピンドルテーブル２６上に載置された原盤２４の表面に集束させている。
【００２５】
このとき、図６（ａ）に示すように、原盤２４上に形成されるビームスポット３０の径は、形成すべき情報記録用の溝２７の幅Ｌ（次世代ＤＶＤでは約２５０ｎｍ）の半分以下（例えば５０ｎｍ）となっている。そして、上記第２の偏向電極２９ｅは、電子ビームに対して、形成すべき情報記録用の溝２７の幅方向（光ディスク１１の径方向）に、その幅Ｌの振幅で振動させるように偏向処理を施している。
【００２６】
この場合、上記第２の偏向電極２９ｅは、図６（ａ）に矢印ａで示すように、ビームスポット３０が原盤２４上でサイン波状の軌跡を描きながら塗り潰すように情報記録用の溝２７を形成していくように、電子ビームに偏向処理を施している。このように、原盤２４上でビームスポット３０がサイン波状の軌跡を描くように制御して情報記録用の溝２７を形成するようにした場合、溝２７の幅方向に均一な露光量とならず、溝２７の中央部に比して両端部の露光量が多くなる。
【００２７】
このため、通常の線速度（例えば０．４ｍ／ｓ）で情報記録用の溝２７を形成するようにした場合、形成された溝２７は、図６（ｂ）に示すように、両側壁２７ａ，２７ｂがそれぞれ略垂直に切り立ち、かつ、底面２７ｃが平坦な断面形状となる。
【００２８】
これにより、この原盤２４に基づいて成形された光ディスク１１も、その情報記録用の溝について、図６（ｂ）に示すように、両側壁がそれぞれ略垂直に切り立ち、ウォブルやランドプリピット等によるアドレス情報が正確に記録されたものとなるとともに、底面が平坦で記録マーク等による情報の記録が正確に行なえるものとなる。
【００２９】
また、原盤２４に対して、通常の線速度の倍の線速度（例えば０．８ｍ／ｓ）で情報記録用の溝２７を形成するようにした場合でも、形成された溝２７は、図６（ｃ）に示すように、両側壁２７ａ，２７ｂがそれぞれ略垂直に切り立ち、かつ、底面２７ｃの中央部が露光不足により両側に比して若干蒲鉾状に盛り上がる、つまり、底面２７ｃの中央部が両側よりも高くなる（溝としては浅くなる）断面形状となる。
【００３０】
これにより、この原盤２４に基づいて成形された光ディスク１１も、その情報記録用の溝について、図６（ｃ）に示すように、両側壁がそれぞれ略垂直に切り立ち、ウォブルやランドプリピット等によるアドレス情報が正確に記録されたものとなる。また、溝の底面中央部の盛り上がりについては、その程度にもよるが、例えば本来の溝の深さの１割程度の盛り上がりならば、光ディスク１１の記録特性がそれほど悪化するものではない。むしろ、溝の両側壁が正確に露光されてさえいれば、アドレス情報を正しく読み取ることが可能である。このため、結果的に、露光線速を通常の線速度よりも高めることができ、溝の特性（特にアドレス情報）を良好に維持した状態で、原盤２４の生産性を向上させることが可能となる。
【００３１】
なお、原盤２４に対して情報記録用の溝２７を形成するためには、図６（ａ）に矢印ａで示したように、ビームスポット３０を原盤２４上でサイン波状の軌跡を描くように移動させるだけでなく、図７に矢印ｂで示すように、ビームスポット３０を原盤２４上で矩形波状の軌跡を描くように移動させるようにしても良いものである。要するに、溝２７の中央部に比して両端部の露光量が多くなるように、ビームスポット３０を原盤２４上で移動させることができれば良いものである。
【００３２】
ここで、現在行なわれている原盤２４への一般的な情報記録用の溝２７の記録手法について説明する。まず、第１の手法は、図８（ａ）に示すように、溝２７の幅Ｌとほぼ同等（例えば直径２００ｎｍ）のビームスポット３０により原盤２４上を露光していくものである。その際、溝２７を長周期でウォブルさせることによりアドレス情報も記録する。この第１の手法で形成された溝２７は、図８（ｂ）に示すように、両側壁２７ａ，２７ｂがそれぞれ傾斜して形成されるため、アドレス情報の信頼性については限度が生じる。
【００３３】
次に、第２の手法は、図９（ａ）に示すように、溝２７の幅Ｌの半分以下（例えば直径５０ｎｍ）の径のビームスポット３０を、幅Ｌの振幅で振動させて原盤２４上を露光していくものである。この場合、図９（ａ）に矢印ｃで示すように、ビームスポット３０を原盤２４上で三角波かのこぎり波状の軌跡を描くように高速に振動（例えば露光線速０．４ｍ／ｓであれば約１０ＭＨｚ）させながら露光を行なっている。
【００３４】
この第２の手法によれば、電子ビームが細いため、図９（ｂ）に示すような、両側壁２７ａ，２７ｂが略垂直に切り立ったきれいな溝２７を形成することができる。しかしながら、この第２の手法では、小径のビームスポット３０で溝３０を塗り潰すように露光するため、露光線速が極めて遅く生産性が悪くなる。
【００３５】
例えば、第１の手法において、線速１．２ｍ／ｓで所望の幅Ｌの溝２７が得られたとすると、同じ露光装置２９を用いた場合に、第２の手法では上記した通常の線速度（０．４ｍ／ｓ）でないと同じ幅Ｌの溝２７を形成することができない。まして、例えば、通常の２倍の線速度（０．８ｍ／ｓ）に速めると、著しい露光不良になって、図９（ｃ）に示すように、断面が湾曲した形状の溝２７が形成されてしまい、アドレス情報の信頼性及び記録する情報の信頼性が共に低いものとなって、生産性が３分の１に低下する。
【００３６】
図９（ａ）に示したように、ビームスポット３０を原盤２４上で三角波状やのこぎり波状の軌跡を描くように移動させて溝２７を記録する場合、溝２７の幅方向に比較的均一な露光量分布となる。その反面、仮に線速度を速めていくと、全体的に露光不良を起こして溝２７が浅くなってしまい、特に、図９（ｃ）に示したように、溝２７の両側壁２７ａ，２７ｂが露光不足により形成不良を起こす。そのため、ウォブル方式等により溝２７の側壁に情報を持たせている場合は都合が悪いことになる。
【００３７】
また、上記した露光装置２９は、電子ビームにアドレス情報に対応したウォブル変調を施すための第１の偏向電極２９ｄと、電子ビームに情報記録用の溝２７を形成するサイン波状の偏向処理を施すための第２の偏向電極２９ｅとの２つの偏向電極を有するものとして説明した。
【００３８】
しかしながら、例えばウォブル信号とサイン波とは、その周波数が
ウォブル信号≪サイン波
と、およそ１００倍以上異なり、その振幅も
ウォブル信号≪サイン波
と、およそ１０倍程度異なる。そこで、露光装置２９として、例えば偏向電極が１つしかない場合には、サイン波を搬送波としてウォブル信号でＡＭ変調した信号を偏向電極に入れても、上記した溝２７の記録方法を実現することができる。
【００３９】
図１０は、上記光ディスク１１に対して情報の記録再生を行なう光ディスク装置の一例を示している。この光ディスク装置は、記録媒体として光ディスク１１とハードディスクとの双方を取り扱うことができる。なお、ハードディスクは、例えば半導体メモリによる記録媒体等に置換されてもよい。
【００４０】
図１０の各ブロックを大きく分けると、左側には記録部の主なブロックを示し、右側には再生部の主なブロックを示している。
【００４１】
図１０の光ディスク装置は、２種類のディスクドライブ部を有する。まず、ビデオファイルを構築できる情報記録媒体である第１のメディアとしての光ディスク１１を回転駆動し、情報の読み書きを実行するディスクドライブ部３１を有する。また、第２のメディアとしてのハードディスク３２ａを駆動するＨＤＤ（hard disk drive）部３２を有する。
【００４２】
データプロセッサ部３３は、ディスクドライブ部３１及びＨＤＤ部３２に記録データを供給することができ、また、ディスクドライブ部３１及びＨＤＤ部３２から再生された信号を受け取ることができる。
【００４３】
ディスクドライブ部３１は、光ディスク１１に対する回転制御系、レーザ駆動系、光学系等を有する。データプロセッサ部３３は、記録または再生単位のデータを取り扱うもので、バッファ回路、変調・復調回路、エラー訂正部等を含む。
【００４４】
また、図１０の光ディスク装置は、記録側を構成するエンコーダ部３４と、再生側を構成するデコーダ部３５と、装置本体の動作を制御するマイクロコンピュータブロック３６とを主たる構成要素としている。
【００４５】
エンコーダ部３４は、入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。エンコーダ部３４の出力は、バッファメモリ３７を含むフォーマッタ３８にて所定のフォーマットに変換され、上記したデータプロセッサ部３３に供給される。
【００４６】
エンコーダ部３４には、Ａ／Ｖ（audio／video）入力部３９からの外部アナログビデオ信号と外部アナログオーディオ信号、あるいはＴＶ（television）チューナ部４０からのアナログビデオ信号とアナログオーディオ信号が入力される。
【００４７】
なお、エンコーダ部３４は、圧縮されたデジタルビデオ信号やデジタルオーディオ信号が直接入力されるときは、圧縮デジタルビデオ信号やデジタルオーディオ信号を直接フォーマッタ３８に供給することもできる。
【００４８】
また、エンコーダ部３４は、アナログデジタル変換されたデジタルビデオ信号やオーディオ信号を、Ｖ（video）ミクシング部４１やオーディオ用のセレクタ４２に直接供給することもできる。
【００４９】
エンコーダ部３４に含まれるビデオエンコーダでは、デジタルビデオ信号はＭＰＥＧ（moving picture experts group）２またはＭＰＥＧ１規格に基づいた可変ビットレートで圧縮されたデジタルビデオ信号に変換される。
【００５０】
デジタルオーディオ信号は、ＭＰＥＧまたはＡＣ（audio compression）−３規格に基づいて固定ビットレートで圧縮されたデジタルオーディオ信号、あるいはリニアＰＣＭ（pulse code modulation）のデジタルオーディオ信号に変換される。
【００５１】
副映像信号がＡ／Ｖ入力部３９から入力された場合（例えば副映像信号の独立出力端子付ＤＶＤビデオプレーヤからの信号等）、あるいはこのようなデータ構成のＤＶＤビデオ信号が放送されて、それがＴＶチューナ部４０で受信された場合は、ＤＶＤビデオ信号中の副映像信号が副映像エンコーダでエンコード（ランレングス符号化）されて副映像のビットマップとなる。
【００５２】
エンコードされたデジタルビデオ信号、デジタルオーディオ信号、副映像データは、フォーマッタ３８にてパック化され、ビデオパック、オーディオパック、副映像パックとなり、さらにこれらが集合されてＤＶＤ−レコーディング規格［例えばＤＶＤ−ＲＡＭ（random access memory）、ＤＶＤ−Ｒ（recordable）、ＤＶＤ−ＲＷ（rewritable）等に記録する規格］で規定されたフォーマットに変換される。
【００５３】
ここで、図１０の光ディスク装置は、フォーマッタ３８でフォーマット化された情報（ビデオ、オーディオ、副映像データ等のパック）及び作成された管理情報を、データプロセッサ部３３を介してＨＤＤ部３２あるいはディスクドライブ部３１に供給し、ハードディスク３２ａあるいは光ディスク１１に記録することができる。
【００５４】
また、ハードディスク３２ａあるいは光ディスク１１に記録された情報を、データプロセッサ部３３、ディスクドライブ部３１を介して光ディスク１１あるいはハードディスク３２ａに記録することもできる。
【００５５】
また、ハードディスク３２ａあるいは光ディスク１１に記録されている複数番組のビデオオブジェクトを、一部削除したり、異なる番組のオブジェクトをつなげたり、といった編集処理を行なうこともできる。
【００５６】
マイクロコンピュータブロック３６は、ＭＰＵ（micro processing unit）またはＣＰＵ（central processing unit）と、制御プログラム等が書きこまれたＲＯＭ（read only memory）と、プログラム実行に必要なワークエリアを提供するためのＲＡＭとを含んでいる。
【００５７】
マイクロコンピュータブロック３６のＭＰＵは、そのＲＯＭに格納された制御プログラムにしたがい、ＲＡＭをワークエリアとして用いて、欠陥場所検出、未記録領域検出、録画情報記録位置設定、ＵＤＦ（universal disk format）記録、ＡＶアドレス設定等を実行する。
【００５８】
また、マイクロコンピュータブロック３６は、システム全体を制御するために必要な情報処理部を有するもので、ワークＲＡＭ、ディレクトリ検出部、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部等を備える。
【００５９】
マイクロコンピュータブロック３６の実行結果のうち、ユーザに通知すべき内容は、光ディスク装置に内蔵の表示部４３に表示されるか、または、外部接続されたモニタディスプレイ４４にＯＳＤ（on screen display）表示される。また、マイクロコンピュータブロック３６は、この光ディスク装置を操作するための操作信号を与えるキー入力部４５を有する。
【００６０】
なお、マイクロコンピュータブロック３６が、ディスクドライブ部３１、ＨＤＤ部３２、データプロセッサ部３３、エンコーダ部３４及び／またはデコーダ部３５等を制御するタイミングは、ＳＴＣ（system time clock）４６からの時間データに基づいて実行することができる。
【００６１】
記録や再生の動作は、通常は、ＳＴＣ４６からのタイムクロックに同期して実行されるが、それ以外の処理はＳＴＣ４６とは独立したタイミングで実行されてもよい。
【００６２】
デコーダ部３５は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダとを有する。
【００６３】
また、デコードされた主映像に、デコードされた副映像を適宜合成し、主映像にメニュー、ハイライトボタン、字幕やその他の副映像を重ねて出力するビデオプロセッサを備えている。
【００６４】
デコーダ部３５の出力ビデオ信号は、Ｖミクシング部４１に入力される。Ｖミクシング部４１では、テキストデータの合成が行なわれる。また、Ｖミクシング部４１には、ＴＶチューナ部４０やＡ／Ｖ入力部３９からの信号を直接取り込むラインも接続されている。
【００６５】
Ｖミクシング部４１には、バッファとして用いるフレームメモリ部４７が接続されている。Ｖミクシング部４１の出力がアナログ出力の場合は、Ｉ／Ｆ（interface）４８を介して外部出力され、デジタル出力の場合はデジタルアナログ変換器４９を介してモニタディスプレイ４４に出力される。
【００６６】
デコーダ部３５の出力オーディオ信号は、セレクタ４２を介してデジタルアナログ変換器５０でアナログ変換され、外部接続されたスピーカ５１に出力される。このセレクタ４２は、マイクロコンピュータブロック３６からのセレクト信号により制御される。
【００６７】
これにより、セレクタ４２は、ＴＶチューナ部４０やＡ／Ｖ入力部３９からのデジタル信号を直接モニタするとき、エンコーダ部３４をスルーした信号を直接選択することも可能である。
【００６８】
なお、エンコーダ部３４のフォーマッタ３８では、記録中、各切り分け情報を作成し、定期的にマイクロコンピュータブロック３６のＭＰＵへ送っている［ＧＯＰ（group of picture）先頭割り込み時等の情報］。この切り分け情報としては、ＶＯＢＵ（video object unit）のパック数、ＶＯＢＵ先頭からのＩピクチャのエンドアドレス、ＶＯＢＵの再生時間等である。
【００６９】
同時に、アスペクト比情報処理部からの情報を記録開始時にマイクロコンピュータブロック３６へ送り、ＭＰＵはＶＯＢストリーム情報（ＳＴＩ）を作成する。ここで、ＳＴＩは、解像度データ、アスペクトデータ等を保存し、再生時、各デコーダ部ではこの情報を元に初期設定が行なわれる。
【００７０】
また、この光ディスク装置においては、ビデオファイルは１ディスクに１ファイルとしている。また、データをアクセス（シーク）している間に、途切れないで再生を続けるために、最低限連続する情報単位（サイズ）を決めている。この単位をＣＤＡ（contiguous data area）という。ＣＤＡサイズは、ＥＣＣ（エラー訂正コード）ブロック（１６セクタ）の倍数であり、ファイルシステムではこのＣＤＡ単位で記録を行なっている。
【００７１】
データプロセッサ部３３は、エンコーダ部３４のフォーマッタ３８からＶＯＢＵ単位のデータを受け取り、ＣＤＡ単位のデータをディスクドライブ部３１あるいはＨＤＤ部３２に供給している。
【００７２】
また、マイクロコンピュータブロック３６のＭＰＵは、記録したデータを再生するのに必要な管理情報を作成し、データ記録終了のコマンドを認識すると、作成した管理情報をデータプロセッサ部３３に送る。
【００７３】
これにより、管理情報が光ディスク１１に記録される。したがって、エンコードが行なわれているとき、エンコーダ部３４からマイクロコンピュータブロック３６のＭＰＵは、データ単位の情報（切り分け情報等）を受け取る。
【００７４】
また、マイクロコンピュータブロック３６のＭＰＵは、記録開始時には光ディスク１１及びハードディスク３２ａから読み取った管理情報（ファイルシステム）を認識し、各ディスクの未記録エリアを認識し、データ上の記録エリアをデータプロセッサ部３３を介してディスクに設定している。
【００７５】
ここで、上記した実施の形態では、光ディスク１１とそれに情報の記録再生を行なう光ディスク装置とについて説明したが、これに限らず、ウォブルやランドプリピット等により側壁に例えばアドレス情報等の特定の情報を含む情報記録用の溝が予め形成される情報記録媒体とそれに情報の記録再生を行なう情報記録再生装置とに対して、この発明を広く適用することができることはもちろんである。
【００７６】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００７７】
【図１】この発明の実施の形態を示すもので、成形された光ディスクの構造を説明するために示す平面図。
【図２】同実施の形態における光ディスクを成形する成形手段を説明するために示す側断面図。
【図３】同実施の形態における光ディスクを成形する型となるスタンパを説明するために示す平面図。
【図４】同実施の形態におけるスタンパを作製する作製手段を説明するために示す側断面図。
【図５】同実施の形態における原盤に情報記録用の溝を記録する露光装置を説明するために示す図。
【図６】同実施の形態における露光装置による原盤への情報記録用の溝の記録手法の一例と形成された溝とを説明するために示す図。
【図７】同実施の形態における露光装置による原盤への情報記録用の溝の記録手法の他の例を説明するために示す図。
【図８】現在行なわれている原盤への一般的な情報記録用の溝の記録手法の一例と形成された溝とを説明するために示す図。
【図９】現在行なわれている原盤への一般的な情報記録用の溝の記録手法の他の例と形成された溝とを説明するために示す図。
【図１０】同実施の形態における光ディスクに対して記録再生を行なう光ディスク装置の一例を説明するために示すブロック構成図。
【符号の説明】
【００７８】
１１…光ディスク、１２…内径孔、１３…情報記録領域、１４…固定側金型、１５…スタンパ、１６…凹部、１７…内径孔、１８…スタンパ取付金具、１９…流入孔、２０…移動側金型、２１…凹部、２２…カットパンチ、２３…情報記録領域、２４…原盤、２５…フォトレジスト、２６…スピンドルテーブル、２７…溝、２７ａ，２７ｂ…側壁、２７ｃ…底面、２８…金属板、２９…露光装置、２９ａ…エミッタ、２９ｂ…引出電極、２９ｃ…レンズ、２９ｄ…第１の偏向電極、２９ｅ…第２の偏向電極、２９ｆ…対物レンズ、３０…ビームスポット、３１…ディスクドライブ部、３２…ＨＤＤ部、３２ａ…ハードディスク、３３…データプロセッサ部、３４…エンコーダ部、３５…デコーダ部、３６…マイクロコンピュータブロック、３７…バッファメモリ、３８…フォーマッタ、３９…Ａ／Ｖ入力部、４０…ＴＶチューナ部、４１…Ｖミクシング部、４２…セレクタ、４３…表示部、４４…モニタディスプレイ、４５…キー入力部、４６…ＳＴＣ、４７…フレームメモリ部、４８…Ｉ／Ｆ、４９，５０…デジタルアナログ変換器、５１…スピーカ。
【図１】
2009277287.tif 000003
【図２】
2009277287.tif 000004
【図３】
2009277287.tif 000005
【図４】
2009277287.tif 000006
【図５】
2009277287.tif 000007
【図６】
2009277287.tif 000008
【図７】
2009277287.tif 000009
【図８】
2009277287.tif 000010
【図９】
2009277287.tif 000011
【図１０】
2009277287.tif 000012